(57)【特許請求の範囲】
【請求項１】
移動体のドライバーがその五感を通じて認識可能な形態の指定コンテンツを出力するコンテンツ出力部と、
施設の位置と、特定の活動を行うための施設である第１施設であるか否かを示す施設の種別と、施設毎に定められた第１基準滞在時間を含む施設情報とを記憶した記憶部と、
前記施設情報を参照して、前記第１施設の位置と前記移動体が停止した位置との距離が第１距離以内である状態が当該第１施設の第１基準滞在時間以上にわたって継続したと判定した場合に、前記移動体が移動を開始してから所定時間後に前記指定コンテンツの出力を前記コンテンツ出力部に指示する指定コンテンツ出力制御部とを備えることを特徴とするコンテンツ出力システム。
【請求項２】
請求項１記載のコンテンツ出力システムにおいて、
前記施設の種別は、前記第１施設又は前記第１施設と異なり、かつ、前記第１施設よりも利用頻度の高い施設である第２施設であるかを示し、
前記指定コンテンツ出力制御部は、前記移動体が停止した位置と前記第２施設の位置との距離が第２距離以内であると判定した場合には、移動の開始から所定時間後の前記指定コンテンツの出力を前記コンテンツ出力部にさせないことを特徴とするコンテンツ出力システム。
【請求項３】
請求項２記載のコンテンツ出力システムにおいて、
前記施設の種別は、前記第１施設又は前記第１施設と異なり、かつ、前記移動体に対する特定の作業が行われる第３施設であるかを示し、
前記指定コンテンツ出力制御部は、前記第３施設の位置と前記移動体が停止した位置との距離が第３距離以内である状態が当該第３施設の第１基準滞在時間以上にわたって継続したと判定した場合に、前記第１施設の位置と前記移動体が停止した位置との距離が前記第１距離よりも大きい第４距離以内である状態が当該第１施設の第１基準滞在時間以上にわたって継続したか否かを判定し、当該判定結果が肯定的である場合に、前記移動を開始してから所定時間後に前記指定コンテンツの出力を前記コンテンツ出力部に指示することを特徴とするコンテンツ出力システム。
【請求項４】
請求項３記載のコンテンツ出力システムにおいて、
前記指定コンテンツ出力制御部は、前記移動体の作業時間を認識し、前記作業時間が長いほど、前記第４距離が断続的又は連続的に長くなるように設定されることを特徴とするコンテンツ出力システム。
【請求項５】
請求項１〜４のうちいずれか１項記載のコンテンツ出力システムにおいて、
前記施設情報は、施設毎に定められた第２基準滞在時間を含み、
前記指定コンテンツ出力制御部は、前記第１施設の位置と前記移動体が停止した位置との距離が第１距離以内である状態が当該第１施設の第１基準滞在時間よりも大きい第２基準滞在時間以上にわたって継続したと判定した場合に、移動の開始から所定時間後の前記指定コンテンツの出力を前記コンテンツ出力部に指示させないことを特徴とするコンテンツ出力システム。
【請求項６】
請求項５記載のコンテンツ出力システムにおいて、
前記指定コンテンツ出力制御部は、前記第１施設の位置と前記移動体が停止した位置との距離が第１距離以内である状態が前記第２基準滞在時間以上にわたって継続したと判定し、かつ、前記移動体の移動の開始時刻が所定の時間帯に含まれる場合には、移動体が移動を開始してから所定時間後の前記指定コンテンツの出力を前記コンテンツ出力部に指示することを特徴とするコンテンツ出力システム。
【請求項７】
移動体のドライバーがその五感を通じて認識可能な形態の指定コンテンツを出力するコンテンツ出力部を備えるコンテンツ出力装置と通信可能に構成されたコンテンツ配信サーバであって、
施設の位置と、特定の活動を行うための施設である第１施設であるか否かを示す施設の種別と、施設毎に定められた第１基準滞在時間を含む施設情報とを記憶した記憶部と、
通信を介して前記コンテンツ出力装置から前記移動体の位置を認識する情報認識部と、
前記施設情報を参照して、前記第１施設の位置と前記移動体が停止した位置との距離が第１距離以内である状態が当該第１施設の第１基準滞在時間以上にわたって継続したと判定した場合に、前記移動体が移動を開始してから所定時間後に前記指定コンテンツの出力を前記コンテンツ出力部に指示する指定コンテンツ出力制御部とを備えることを特徴とするコンテンツ配信サーバ。
【請求項８】
移動体のドライバーがその五感を通じて認識可能な形態の指定コンテンツを出力するコンテンツ出力部と、
施設の位置と、特定の活動を行うための施設である第１施設であるか否かを示す施設の種別と、施設毎に定められた第１基準滞在時間を含む施設情報とを記憶した記憶部とを備えるシステムが実行する方法であって、
前記施設情報を参照して、前記第１施設の位置と前記移動体が停止した位置との距離が第１距離以内である状態が当該第１施設の第１基準滞在時間以上にわたって継続したか否かを判定する判定ステップと、
前記第１施設の位置と前記移動体が停止した位置との距離が第１距離以内である状態が当該第１施設の第１基準滞在時間以上にわたって継続したと判定した場合に、前記移動体が移動を開始してから所定時間後に前記指定コンテンツの出力を前記コンテンツ出力部に指示する指定コンテンツ出力制御ステップとを備えることを特徴とするコンテンツ出力方法。
【発明の詳細な説明】
【技術分野】
【０００１】
本発明は、コンテンツ出力システム、コンテンツ配信サーバ及びコンテンツ出力方法に関する。
【背景技術】
【０００２】
従来、居眠り運転を効果的に防止する車載用電子機器として、居眠りを検知したときに所定のコンテンツを出力させてドライバーを覚醒させる装置が知られている。
【０００３】
例えば、特許文献１には、ドライバーのまばたき又は心拍等の生体情報を取得し、当該取得された生体情報が異常である場合には、休憩を促すメッセージを出力する技術が開示されている。
【０００４】
また、特許文献２には、過去２時間以内に、飲食店に該当する位置で１５分以上位置の記録が途絶えた場合に、ドライバーが食後であると推定して、危険度を増加させ、危険度が基準値以上になったときに、警告音と警告メッセージとを出力する警報処理を行う技術が開示されている。
【先行技術文献】
【特許文献】
【０００５】
【特許文献１】特開２０１１−１２８８２３号公報
【特許文献２】特開２０１１−０６５５６１号公報
【発明の概要】
【発明が解決しようとする課題】
【０００６】
しかし、特許文献１のように、ドライバーの生体情報を取得するには、カメラ又は心拍計等の特別な機器が必要となる。また、特許文献２のように、食後と推定した場合に危険度を増加させる場合には、他に危険度を増加させるための構成が必要となる。
【０００７】
このような課題に鑑みて、簡易な構成によりドライバーの注意力の低下を推定し、ドライバーを適切に刺激することが出来るコンテンツ出力システム、コンテンツ配信サーバ及びコンテンツ出力方法を提供することを目的とする。
【課題を解決するための手段】
【０００８】
本発明のコンテンツ出力システムは、
移動体のドライバーがその五感を通じて認識可能な形態の指定コンテンツを出力するコンテンツ出力部と、
施設の位置と、特定の活動を行うための施設である第１施設であるか否かを示す施設の種別と、施設毎に定められた第１基準滞在時間を含む施設情報とを記憶した記憶部と、
前記施設情報を参照して、前記第１施設の位置と前記移動体が停止した位置との距離が第１距離以内である状態が当該第１施設の第１基準滞在時間以上にわたって継続したと判定した場合に、前記移動体が移動を開始してから所定時間後に前記指定コンテンツの出力を前記コンテンツ出力部に指示する指定コンテンツ出力制御部とを備えることを特徴とする。
【０００９】
飲食又は運動等の特定の活動を行ってから一定の時間後に運転手の注意力が低下する蓋然性が高くなるところ、本発明のコンテンツ出力システムによれば、特定の活動を行うための第１施設の位置と当該第１施設の第１基準滞在時間以上移動体が停止した位置との距離が第１距離以内であると判定された場合に、移動体が移動を開始してから所定時間後に移動体のドライバーがその五感を通じて認識可能な形態の指定コンテンツが出力される。ここで、第１基準滞在時間は、施設毎に定められる。これは、例えば同一の活動であっても、施設毎にその活動にかかる時間が異なると考えられるためである。
【００１０】
換言すれば、本発明のコンテンツ出力システムによれば、移動体のドライバーが特定の活動を行い、移動体のドライバーの注意力が低下している蓋然性が高い場合に、指定コンテンツによって、移動体のドライバーに刺激を与えることが出来る。
【００１１】
以上の通り、本発明のコンテンツ出力システムによれば、簡易な構成によりドライバーの注意力の低下を高精度に推定し、ドライバーに適切に刺激を与えることが出来る。
【００１２】
本発明のコンテンツ出力システムにおいて、
前記施設の種別は、前記第１施設又は前記第１施設と異なり、かつ、前記第１施設よりも利用頻度の高い施設である第２施設であるかを示し、
前記指定コンテンツ出力制御部は、前記移動体が停止した位置と前記第２施設の位置との距離が第２距離以内であると判定した場合には、移動の開始から所定時間後の前記指定コンテンツの出力を前記コンテンツ出力部にさせないことが好ましい。
【００１３】
第１施設と異なり、かつ、第１施設よりも利用頻度が高い第２施設の付近に移動体が停止した場合には、移動体のドライバーは、前記第１施設ではなく、前記第２施設に滞在していた蓋然性が高く、移動体が移動を開始してから一定時間が経過したとしても、移動体のドライバーを刺激する必要性が低い。当該構成のコンテンツ出力システムによれば、このような第２施設の位置と移動体が停止した位置との距離が第２距離以内であると判定した場合には、移動体が移動を開始してから所定時間後の前記指定コンテンツの出力を前記コンテンツ出力部にさせない。
【００１４】
この結果、必要性の低い指定コンテンツの出力に起因して移動体のドライバーに違和感を与えることが回避される。
【００１５】
本発明のコンテンツ出力システムにおいて、
前記施設の種別は、前記第１施設又は前記第１施設と異なり、かつ、前記移動体に対する特定の作業が行われる第３施設であるかを示し、
前記指定コンテンツ出力制御部は、前記第３施設の位置と前記移動体が停止した位置との距離が第３距離以内である状態が当該第３施設の第１基準滞在時間以上にわたって継続したと判定した場合に、前記第１施設の位置と前記移動体が停止した位置との距離が前記第１距離よりも大きい第４距離以内である状態が当該第１施設の第１基準滞在時間以上にわたって継続したか否かを判定し、当該判定結果が肯定的である場合に、前記移動を開始してから所定時間後に前記指定コンテンツの出力を前記コンテンツ出力部に指示することが好ましい。
【００１６】
移動体に対する特定の作業が行われる場合、移動体のドライバーは、その移動体に対する特定の作業の実施に立ち会い続けるわけではなく、異なる場所に移動すると考えられる。
【００１７】
当該構成のコンテンツ出力システムによれば、移動体に対する特定の作業が行われうる場合に第３施設の付近にある第１施設で特定の活動を行い、移動体のドライバーの注意力が低下している蓋然性が高い場合に指定コンテンツの出力により、移動体のドライバーを刺激することができる。
【００１８】
従って、当該構成のコンテンツ出力システムによれば、簡易な構成によりドライバーの注意力の低下を推定し、ドライバーを適切に刺激することが出来る。
【００１９】
当該構成のコンテンツ出力システムにおいて、
前記指定コンテンツ出力制御部は、前記移動体の作業時間を認識し、前記作業時間が長いほど、前記第４距離が断続的又は連続的に長くなるように設定されることが好ましい。
【００２０】
当該構成のコンテンツ出力システムによれば、作業時間が長いほど、第４距離が断続的又は連続的に長くなるように設定されるので、作業時間が長いために移動体のドライバーが比較的遠距離にある第１施設を訪れた場合であっても、移動の開始後から所定時間後に指定コンテンツが出力される。これにより、移動体のドライバーを適切に刺激することが出来る。
【００２１】
本発明のコンテンツ出力システムにおいて、
前記施設情報は、施設毎に定められた第２基準滞在時間を含み、
前記指定コンテンツ出力制御部は、前記第１施設の位置と前記移動体が停止した位置との距離が第１距離以内である状態が当該第１施設の第１基準滞在時間よりも大きい第２基準滞在時間以上にわたって継続したと判定した場合に、移動の開始から所定時間後の前記指定コンテンツの出力を前記コンテンツ出力部に指示させないことが好ましい。
【００２２】
例えば、第１施設付近に移動体が長時間停止していたとしても、その滞在時間が食事又は運動等の特定の活動をする時間からみて注意力が低下する程度に十分な時間が経過している場合には、移動体のドライバーを刺激する必要性は低いと推察される。
【００２３】
当該構成のコンテンツ出力システムによれば、前記第１施設の位置と前記移動体が停止した位置との距離が第１距離以内である状態が当該第１施設の第１基準滞在時間よりも大きい第２基準滞在時間以上にわたって継続したと判定した場合には、移動の開始から所定時間後の前記指定コンテンツの出力を前記コンテンツ出力部にさせない。この結果、不必要な指定コンテンツの出力に起因して移動体のドライバーに違和感を与えることが回避される。
【００２４】
当該構成のコンテンツ出力システムにおいて、
前記指定コンテンツ出力制御部は、前記第１施設の位置と前記移動体が停止した位置との距離が第１距離以内である状態が前記第２基準滞在時間以上にわたって継続したと判定し、かつ、前記移動体の移動の開始時刻が所定の時間帯に含まれる場合には、移動体が移動を開始してから所定時間後の前記指定コンテンツの出力を前記コンテンツ出力部に指示することが好ましい。
【００２５】
第１施設に飲食をするよりも長時間滞在していたとしても、移動体の移動の開始時刻が例えば食事時などの所定の時間帯に含まれる場合には、移動体のドライバーは第１施設を離れる間際に飲食をした蓋然性が高い。当該構成のコンテンツ出力システムによれば、このような第１施設を離れる間際に飲食をした蓋然性が高い場合に移動開始後から所定時間後に指定コンテンツの出力がなされるので、適切に移動体のドライバーを刺激することが出来る。
【図面の簡単な説明】
【００２６】
【図１】第１実施形態のコンテンツ出力システムの全体構成図。
【図２】図２Ａはコンテンツ情報の構成を示す図、図２Ｂは施設情報の構成を示す図。
【図３】第１実施形態における指定コンテンツ出力処理のフローチャート。
【図４】指定コンテンツ出力要否判定処理のフローチャート。
【図５】図５Ａは、移動体の停止位置から第１距離内に第１施設があると共に第２距離内に第２施設がある場合を示す図、図５Ｂは、移動体の停止位置から第１距離内に第１施設があると共に第２距離内に第２施設がない場合を示す図、図５Ｃは、移動体の停止位置から第３距離内に第３施設があり、第４距離内に第１施設がある場合を示す図。
【図６】図６Ａは、第１基準滞在時間以上の移動体の停止が検知された場合に、移動体の移動開始後から所定時間後に指定コンテンツを出力することを示す図、図６Ｂは、第２基準滞在時間以上の移動体の停止が検知された場合に、指定コンテンツの出力を保留することを示す図、図６Ｃは、第２基準滞在時間以上の移動体の停止が検知された場合であっても、移動終了が所定の時間帯に含まれている場合には、指定コンテンツを出力することを示す図。
【図７】第２実施形態のコンテンツ出力システムの全体構成図。
【図８】第３実施形態のコンテンツ出力システムの全体構成図。
【図９】第３実施形態における指定コンテンツ出力処理のフローチャート。
【発明を実施するための形態】
【００２７】
（コンテンツ出力システム）
図１に示されているコンテンツ出力システムは、ネットワークを介して相互通信可能なコンテンツ配信サーバ１０と、コンテンツ出力装置２０を搭載した移動体２とにより構成されている。移動体２は、例えば車両である。
【００２８】
（コンテンツ配信サーバ）
コンテンツ配信サーバ１０は、サーバ制御部１１、サーバ記憶部１２及びサーバ通信部１３を備えている。
【００２９】
コンテンツ配信サーバ１０を構成するコンピュータの一部又は全部が、コンテンツ出力装置２０の構成要素により構成されていてもよい。例えば、移動局としての一又は複数のコンテンツ出力装置２０により、コンテンツ配信サーバ１０の一部又は全部が構成されていてもよい。
【００３０】
サーバ制御部１１は、ＣＰＵ等のプロセッサにより構成されている。
【００３１】
なお、サーバ制御部１１は、所定のプログラムを実行することにより、後述の演算処理を行う情報認識部１１１及び指定コンテンツ出力制御部１１２として機能する。
【００３２】
本発明の構成要素が担当演算処理を実行するように「構成されている」とは、当該構成要素を構成するＣＰＵ等の演算処理装置が、ＲＯＭ、ＲＡＭ等のメモリ又は記録媒体から必要な情報に加えてソフトウェアを読み出し、当該情報に対して当該ソフトウェアにしたがって演算処理を実行するように「プログラムされている」又は「デザイン（設計）されている」ことを意味する。各構成要素が共通のプロセッサ（演算処理装置）により構成されてもよく、各構成要素が相互通信可能な複数のプロセッサにより構成されてもよい。
【００３３】
サーバ記憶部１２は、ＲＡＭ、ＲＯＭ又はＨＤＤ等の記憶装置により構成され、種々の情報を記録するように構成されている。サーバ記憶部１２は、サーバ制御部１１による演算処理で使用されるデータを記憶及び読出可能に構成されている。
【００３４】
サーバ記憶部１２には、コンテンツ情報Ｃ０と、使用者情報Ｕ０と、ナビゲーション情報Ｎ０とが記憶されている。コンテンツ情報Ｃ０、使用者情報Ｕ０及びナビゲーション情報Ｎ０は、演算処理又は外部との通信により逐次更新されうる。
【００３５】
コンテンツ情報Ｃ０は、音楽コンテンツ、ニュースコンテンツ又は映像コンテンツ等の各コンテンツの情報のリストとして、図２Ａに示されるように、コンテンツＩＤカラムＣ０１、タグカラムＣ０２、タイトルカラムＣ０３を含む。
【００３６】
コンテンツＩＤカラムＣ０１は、コンテンツを識別するためのＩＤを格納するカラムである。
【００３７】
タグカラムＣ０２は、コンテンツのタグを格納するカラムである。コンテンツのタグには、例えば、サッカー、××氏作曲及び漫才等のドライバーＤの嗜好に関連する用語並びにアラーム等の一般的な用語が含まれる。
【００３８】
タイトルカラムＣ０３は、コンテンツのタイトルを格納するカラムである。
【００３９】
コンテンツ情報Ｃ０には、指定コンテンツＣ１と、非指定コンテンツＣ２とが含まれている。
【００４０】
指定コンテンツＣ１は、ドライバーＤを刺激するためのコンテンツであり、例えば、ドライバーＤの嗜好に沿ったコンテンツ又は眠気覚ましアラーム等のコンテンツである。指定コンテンツＣ１は、あらかじめ定められてもよいし、使用者情報Ｕ０に含まれる嗜好情報Ｕ２に基づいて、後述する処理の実行時に動的に定められてもよい。なお、ドライバーＤの嗜好に沿ったコンテンツが出力されることにより、ドライバーＤの興味を引き、ドライバーＤを自然に覚醒させることが出来ると推察される。
【００４１】
例えば、ドライバーＤがサッカーのあるチームが好きという情報が存在すれば、そのチームの応援歌が指定コンテンツＣ１として出力されてもよい。また、ドライバーＤがある作曲家が好きという情報が存在すれば、その作曲家が作曲した曲が指定コンテンツＣ１として出力されてもよい。なお、ドライバーＤの嗜好は、後述する嗜好情報Ｕ２に記憶されている。
【００４２】
非指定コンテンツＣ２は、指定コンテンツＣ１以外のコンテンツである。
【００４３】
使用者情報Ｕ０には、各ドライバーＤを特定するための使用者識別子情報Ｕ１と、各ドライバーＤの嗜好を示す嗜好情報Ｕ２と、職場又は自宅等のドライバーＤの拠点に関する拠点情報Ｕ３と、及びコンテンツ出力装置２０の位置情報を含む移動体情報Ｕ４とが含まれている。嗜好情報Ｕ２、拠点情報Ｕ３、移動体情報Ｕ４は、それぞれ使用者識別子情報Ｕ１と関連付けて保存されている。
【００４４】
各ドライバーＤの嗜好は、ドライバーＤのコンテンツ配信サーバ１０のサービスの使用者登録の際に設定される。またこれに加えてまたは代えて、ドライバーＤの過去の操作履歴からドライバーＤの嗜好が推定されてもよい。
【００４５】
たとえば、ドライバーＤの操作によって、タグがサッカーであるコンテンツが頻繁に出力された場合には、ドライバーＤはサッカーを好むと推定してもよい。また、タグがサッカーであるコンテンツが出力されている間において、ドライバーＤがその出力を停止した場合には、ドライバーＤはサッカーを好まないと推定してもよい。
【００４６】
拠点情報Ｕ３は、ドライバーＤのコンテンツ配信サーバ１０のサービスの使用者登録の際に拠点の位置が設定される。これに加えてまたは代えて移動体２が一定回数以上又は一定以上の頻度で停止した位置が拠点の位置として設定されてもよい。
【００４７】
移動体情報Ｕ４は、移動体から受信した情報であり、移動体との通信に応じて随時更新される。
【００４８】
ナビゲーション情報Ｎ０には、渋滞等の交通状況を示す交通情報Ｎ１と、各道路、各交差点及び各施設をリンク及びノードで表した地図情報Ｎ２と、施設情報Ｎ３とが含まれている。
【００４９】
施設情報Ｎ３は、図２Ｂに示されるように、施設ＩＤカラムＮ３１と種別カラムＮ３２と位置カラムＮ３３と第１基準滞在時間カラムＮ３４と第２基準滞在時間カラムＮ３５とを含む。
【００５０】
施設ＩＤカラムＮ３１は、施設を識別するための施設ＩＤを格納するカラムである。
【００５１】
種別カラムＮ３２は、飲食店、ジム、商業施設及び遊園地といった施設の種別を格納するカラムである。
【００５２】
なお、施設の種別は、概略的には、第１施設と、第２施設と、第３施設と、それ以外の施設に分類される。
【００５３】
第１施設とは、特定の活動を行うための施設であり、例えば、飲食店又はジムである。
【００５４】
ここで、特定の活動とは、所定時間後に注意力の低下を引き起こすような活動であり、例えば、飲食又は運動である。
【００５５】
第２施設とは、第１施設と異なり、かつ、ドライバーＤが頻繁に立ち寄る施設であり、例えば、自宅又は勤務先等の拠点である。
【００５６】
第３施設とは、第１施設及び第２施設のいずれとも異なり、かつ、移動体２に対して特定の作業が行われる施設であり、例えば、ガソリンスタンド、給電施設又は整備工場である。特定の作業には、充電、洗車及び整備が含まれうる。特に、特定の作業は、作業開始から作業終了までの作業時間が長時間である充電等のエネルギーの充填、洗車及び整備であることが好ましい。
【００５７】
位置カラムＮ３３は、施設の地図上の位置を格納するカラムである。
【００５８】
第１基準滞在時間カラムＮ３４は、例えば、施設の種別が特定の活動を行う第１施設である場合、その特定の活動を行うためにその施設に滞在した時間と推定できるような時間を格納するカラムである。
【００５９】
その特定の活動を行うためにその施設に滞在したと推定できるような時間とは、施設ごとに定められる時間で、例えば、その施設がファーストフード店であれば１５分であり、その施設がジムであれば６０分である。
【００６０】
また、施設の種別が移動体２に対する特定の作業が行われる第３施設である場合、第１基準滞在時間カラムＮ３４は、その特定の作業が行われるためにその施設に滞在した時間と推定できるような時間を格納するカラムである。
【００６１】
第２基準滞在時間カラムＮ３５は、第１施設において、特定の活動を行ってから低下した注意力が戻る程度に十分な時間が経過したと推定されるような時間である。
【００６２】
サーバ通信部１３は、有線又はＷｉＦｉ（登録商標）等の遠距離での無線通信に適した通信規格にしたがってコンテンツ出力装置２０等の外部端末と相互通信するように構成されている。
【００６３】
（移動体）
移動体２には、コンテンツ出力装置２０と、コンテンツ出力装置２０に接続され、移動体２の各状態を示す信号を出力するセンサ部２８とが搭載されている。
【００６４】
コンテンツ出力装置２０は、例えば、ナビゲーション装置のように、コンテンツ出力装置２０のドライバーＤ（移動体の乗員）が搭乗する移動体２に搭載可能なようにサイズ等が設計されている情報端末である。
【００６５】
コンテンツ出力装置２０は、タブレット型端末又はスマホ等、ドライバーＤによる携帯
が可能なようにサイズ、形状及び重量が設計されている情報端末により構成されてもよい。
【００６６】
コンテンツ出力装置２０は、出力装置制御部２１、出力装置記憶部２２、出力装置通信部２３、スピーカ２４、タッチパネル２５、マイク２６及びカメラ２７を備えている。
【００６７】
出力装置制御部２１は、ＣＰＵ等のプロセッサにより構成されている。出力装置制御部２１には、コンテンツ出力プログラムがインストールされている。コンテンツ出力プログラムが起動されることにより、出力装置制御部２１は、後述の演算処理を実行するように構成されている。
【００６８】
出力装置制御部２１は、出力装置記憶部２２、出力装置通信部２３、スピーカ２４、タッチパネル２５、マイク２６及びカメラ２７と情報を送受信可能なように構成されている。
【００６９】
出力装置記憶部２２は、ＲＡＭ、ＲＯＭ又はＨＤＤ等の記憶装置により構成され、種々の情報を記録するように構成されている。出力装置記憶部２２は、出力装置制御部２１による演算処理で使用されるデータを記憶及び読出可能に構成されている。
【００７０】
出力装置通信部２３は、近距離通信部２３１と、遠距離通信部２３２とを備える。
【００７１】
近距離通信部２３１は、有線又は近距離での無線通信に適した通信規格にしたがって移動体２以内の無線ＬＡＮ等を介して移動体２又は移動体２に搭載された機器（たとえばセンサ部２８）と相互に通信するように構成されている。
【００７２】
遠距離通信部２３２は、ＷｉＦｉ（登録商標）等の遠距離での無線通信に適した通信規格にしたがってコンテンツ配信サーバ１０等の外部端末と相互通信するように構成されている。
【００７３】
スピーカ２４は、出力装置制御部２１から入力された信号に応じて、音声を出力するように構成されている。また、スピーカ２４は、出力している音声等を含む動作状況を示す信号を出力装置制御部２１に出力するように構成されている。
【００７４】
タッチパネル２５は、タッチパッドのようなドライバーＤのタッチ操作を検知する入力装置と、液晶パネルのような表示装置とが組み合わせられて構成されている。すなわち、タッチパネルは、入力インターフェース及び出力インターフェースのそれぞれとして機能しうる。タッチパネルには、出力装置制御部２１にインストールされているアプリ（アプリケーションソフトウェア）（コンテンツ出力アプリ）の機能に応じた機能画像又はナビゲーション画像が表示される。タッチパネル２５でタッチ操作が検知されると、当該タッチ操作に対応する信号が出力装置制御部２１へ出力される。タッチパネル２５に代えて又は加えて、ボタン、キーボード及びマウス等のドライバーＤの操作が検知可能な入力装置と、ディスプレイ等、画像を表示可能な表示装置とが用いられてもよい。
【００７５】
なお、スピーカ２４及びタッチパネル２５が本発明の「コンテンツ出力部」に該当する。
【００７６】
マイク２６は、ドライバーＤの音声を検知し、検知した音声を信号として出力装置制御部２１に出力するように構成されている。マイク２６は、出力装置制御部２１が入力された信号から、スピーカ２４から出力されている音声及び移動体２の動作音等の環境音を除去することにより、ドライバーＤの音声を認識するように構成されていてもよい。
【００７７】
カメラ２７は、移動体２の内部を撮影し、撮像した画像を信号化して出力装置制御部２１に出力するように構成されている。
【００７８】
センサ部２８は、移動体２の現在位置を取得するＧＰＳセンサ２８１と、移動体２の移動速度を取得する車速センサ２８２と、移動体２の角速度を取得するジャイロセンサ２８３と移動体２のイグニッションスイッチの状態を取得するイグニッションスイッチセンサ２８４とを備えている。センサ部２８は、不図示のセンサにより、移動体２に対するアクセル、ブレーキ又は操舵に対する操作指示量及びその他の移動体２に搭載されている機器情報も取得するように構成されている。センサ部２８は、取得された情報をコンテンツ出力装置２０に出力するように構成されている。
【００７９】
（指定コンテンツ出力処理）
次に、図３を参照しながら、指定コンテンツ出力処理について説明する。
【００８０】
出力装置制御部２１は、センサ部２８から取得した種々の移動体の情報を認識する（図３／ＳＴＥＰ２１０）。
【００８１】
出力装置制御部２１は、認識した移動体の情報を遠距離通信部２３２を介してコンテンツ配信サーバ１０に送信する（図３／ＳＴＥＰ２２０）。
【００８２】
情報認識部１１１は、サーバ通信部１３を介してコンテンツ出力装置２０から移動体の情報を受信したか否かを判定する（図３／ＳＴＥＰ１１０）。
【００８３】
当該判定結果が否定的である場合（図３／ＳＴＥＰ１１０‥ＮＯ）、情報認識部１１１は、再度図３／ＳＴＰＥ１１０の処理を実行する。
【００８４】
当該判定結果が肯定的である場合（図３／ＳＴＥＰ１１０‥ＹＥＳ）、情報認識部１１１は、受信した情報を移動体における当該情報の検知時刻又は受信時刻とともに移動体情報Ｕ４に追加して記憶する（図３／ＳＴＥＰ１２０）。
【００８５】
指定コンテンツ出力制御部１１２は、移動体情報Ｕ４を参照することにより、移動体２が一定箇所に一定時間（例えば５分）以上継続的に滞在していたか否かを判定する（図３／ＳＴＥＰ１３０）。指定コンテンツ出力制御部１１２は、例えば、図３／ＳＴＥＰ１３０において、移動体２の位置が同一またはほぼ同一であった時間が一定時間以上か否かを判定する。また、これに加えてまたは代えて、指定コンテンツ出力制御部１１２は、例えば、図３／ＳＴＥＰ１３０において、移動体２のイグニッションスイッチがＯＦＦにされてからイグニッションスイッチがＯＮにされるまでの時間が一定時間以上か否かを判定する。
【００８６】
当該判定結果が否定的である場合（図３／ＳＴＥＰ１３０‥ＮＯ）、指定コンテンツ出力制御部１１２は、今回の指定コンテンツ出力処理を終了し、次回の指定コンテンツ出力処理を実行する。
【００８７】
当該判定結果が肯定的である場合（図３／ＳＴＥＰ１３０‥ＹＥＳ）、指定コンテンツ出力制御部１１２は、後述する指定コンテンツ出力要否判定処理を実行する（図３／ＳＴＥＰ１４０）。なお、指定コンテンツ出力制御部１１２は、図３／ＳＴＥＰ１３０で移動体２が一定時間以上滞在していた位置を移動体２の停止位置として認識する。
【００８８】
指定コンテンツ出力制御部１１２は、指定コンテンツ出力要否判定処理の結果が、出力必要であるか否かを判定する（図３／ＳＴＥＰ１５０）。
【００８９】
当該判定結果が否定的である場合（図３／ＳＴＥＰ１５０‥ＮＯ）、指定コンテンツ出力制御部１１２は、今回の指定コンテンツ出力処理を終了し、次回の指定コンテンツ出力処理を実行する。
【００９０】
なお、指定コンテンツ出力制御部１１２が、図３／ＳＴＥＰ１５０‥ＮＯの場合に、図３／ＳＴＥＰ１６０の処理を実行せずに今回の指定コンテンツ出力処理を終了することが、本発明の「指定コンテンツの出力を前記コンテンツ出力部にさせない」ことに相当する。また、これに代えて、サーバ通信部１３を介して指定コンテンツの出力の保留を示すデータをコンテンツ出力装置２０に送信してもよい。
【００９１】
当該判定結果が肯定的である場合（図３／ＳＴＥＰ１５０‥ＹＥＳ）、指定コンテンツ出力制御部１１２は、サーバ通信部１３を介して所定時間後に指定コンテンツを出力する指示をコンテンツ出力装置２０に送信する（図３／ＳＴＥＰ１６０）。
【００９２】
ここで、所定時間とは、特定活動後に注意力が低下するような時間であり、あらかじめ定められてもよいし、施設毎又は施設の種別毎に定められてもよい。また、指定コンテンツ出力制御部１１２は、例えば出力音量を大きくする等の出力態様を合せて指定してもよい。
【００９３】
なお、図３／ＳＴＥＰ１６０の処理が、本発明の「指定コンテンツ出力制御ステップ」に相当する。
【００９４】
出力装置制御部２１は、指定コンテンツを出力する指示を受信したか否かを判定する（図３／ＳＴＥＰ２３０）。
【００９５】
当該判定結果が否定的である場合（図３／ＳＴＥＰ２３０‥ＮＯ）、出力装置制御部２１は、再度図３／ＳＴＥＰ２１０の処理を実行する。
【００９６】
当該判定結果が肯定的である場合（図３／ＳＴＥＰ２３０‥ＹＥＳ）、出力装置制御部２１は、所定時間が経過し、かつ、以前のコンテンツが終了したか否かを判定する（図３／ＳＴＥＰ２４０）。
【００９７】
当該判定結果が否定的である場合（図３／ＳＴＥＰ２４０‥ＮＯ）、出力装置制御部２１は、再度図３／ＳＴＥＰ２４０の処理を実行する。
【００９８】
当該判定結果が肯定的である場合（図３／ＳＴＥＰ２４０‥ＹＥＳ）、出力装置制御部２１は、指示に従ってスピーカ２４又はタッチパネル２５に指定コンテンツを指定された出力態様で出力することにより、指定コンテンツを出力する（図３／ＳＴＥＰ２５０）。
【００９９】
以上により、指定コンテンツ出力処理が終了する。
【０１００】
（指定コンテンツ出力要否判定処理）
次に、図４〜図６を参照しながら、図３／ＳＴＥＰ１４０の指定コンテンツ出力要否判定処理を説明する。
【０１０１】
指定コンテンツ出力制御部１１２は、図５Ａ〜図５Ｃに示されるように、移動体２の停止位置Ｐ０から第１距離ｒ１以内にある第１施設Ｐ１、第２距離ｒ２以内にある第２施設Ｐ２及び第３距離ｒ３以内にある第３施設Ｐ３を読み出す（図４／ＳＴＥＰ１４１）。
【０１０２】
ここで、第１距離ｒ１、第２距離ｒ２、第３距離ｒ３とは、それぞれ第１施設Ｐ１、第２施設Ｐ２及び第３施設Ｐ３を利用する可能性がある距離の上限であり、例えば、歩行により移動体の停止位置Ｐ０から各距離まで所定時間内（例えば５分以内）に到着できるような距離である。これらの距離は、施設毎に異なりうる距離であり、例えば実験によって定められうる。第１距離ｒ１、第２距離ｒ２及び第３距離ｒ３は互いに同一の距離であってもよいし、互いに異なる距離であってもよい。
【０１０３】
指定コンテンツ出力制御部１１２は、第２距離ｒ２以内にある第２施設Ｐ２が読み出せたか、換言すれば、移動体２の停止位置Ｐ０を中心とする半径ｒ２の円Ｒ２以内に第２施設Ｐ２が存在しているか否かを判定する（図４／ＳＴＥＰ１４２）。
【０１０４】
なお、指定コンテンツ出力制御部１１２は、移動体２の停止位置Ｐ０と施設の位置の直線距離が所定の距離以内か否かを判定することに代えて、移動体２の停止位置Ｐ０から当該施設の位置までの道路（歩道）を通った場合の移動距離が所定の距離以内か否かを判定してもよい。
【０１０５】
当該判定結果が肯定的である場合（図４／ＳＴＥＰ１４２‥ＹＥＳ）、すなわち、図５Ａに示されるように、円Ｒ２内に第２施設Ｐ２が存在している場合、指定コンテンツ出力制御部１１２は、指定コンテンツを出力不要と判断する。
【０１０６】
第２施設Ｐ２は、第１施設よりも利用頻度が高い施設であるので、図５Ａに示されるように、第１距離ｒ１以内（円Ｒ１内）に第１施設Ｐ１が存在していたとしても、ドライバーＤは第２施設Ｐ２に立ち寄っていた蓋然性が高い。この場合、ドライバーＤは特定の活動を行っていない蓋然性が高いので、移動体２の移動開始後から所定時間後にドライバーＤを刺激する必要性は低い。
【０１０７】
当該判定結果が否定的である場合（図４／ＳＴＥＰ１４２‥ＮＯ）、指定コンテンツ出力制御部１１２は、移動体２の停止位置Ｐと第１施設Ｐ１との距離が第１距離ｒ１以内かつ移動体２の停止時間が当該第１施設Ｐ１の第１基準滞在時間以上か否かを判定する（図４／ＳＴＥＰ１４３）。なお、図４／ＳＴＥＰ１４３の処理が、本発明の「判定ステップ」に相当する。
【０１０８】
図４／ＳＴＥＰ１４３の判定結果が肯定的である場合（図４／ＳＴＥＰ１４３‥ＹＥＳ）、指定コンテンツ出力制御部１１２は、図４／ＳＴＥＰ１４７に進む。
【０１０９】
ここで、図４／ＳＴＥＰ１４３の判定結果が肯定的である場合とは、図５Ｂに示されるように、第２距離ｒ２以内に第２施設Ｐ２がなく、かつ、第１距離ｒ１以内に第１施設Ｐ１があり、かつ、移動体２の停止時間が当該第１施設Ｐ１の第１基準滞在時間以上である場合である。このような場合、ドライバーＤは、第１施設Ｐ１において特定の活動を行っていた蓋然性が高い。
【０１１０】
図４／ＳＴＥＰ１４３の判定結果が否定的である場合（図４／ＳＴＥＰ１４３‥ＮＯ）、指定コンテンツ出力制御部１１２は、図４／ＳＴＥＰ１４４に進む。
【０１１１】
図４／ＳＴＥＰ１４３の判定結果が否定的である場合とは、第１距離ｒ１以内に第１施設Ｐ１がないか、第１距離ｒ１以内に第１施設Ｐ１があったとしても、移動体２の停止時間が当該第１施設Ｐ１の第１基準滞在時間未満である場合である。このような場合、当該第１施設Ｐ１では特定の活動を行っていない蓋然性が高い。
【０１１２】
なお、第１距離ｒ１以内に第１施設がない場合に限り、図４／ＳＴＥＰ１４４に進んでもよい。
【０１１３】
図４／ＳＴＥＰ１４４において、指定コンテンツ出力制御部１１２は、移動体２の停止位置Ｐ０と第３施設Ｐ３との距離が第３距離ｒ３以内かつ移動体２の停止時間が当該第３施設Ｐ３の第１基準滞在時間以上か否かを判定する。
【０１１４】
当該判定結果が否定的である場合（図４／ＳＴＥＰ１４４‥ＮＯ）、指定コンテンツ出力制御部１１２は、指定コンテンツの出力を不要と判断する。
【０１１５】
補足すると、図４／ＳＴＥＰ１４４の判定結果が否定的である場合とは、第３施設Ｐ３が移動体２の停止位置Ｐ０から第３距離ｒ３以内（円Ｒ３内）にないか、第３施設Ｐ３が移動体２の停止位置Ｐ０から第３距離ｒ３以内にあったとしても、移動体２の停止時間が第３施設Ｐ３の第１基準滞在時間未満である場合である。
【０１１６】
このような場合、ドライバーＤは、第３施設を利用していない蓋然性が高く、ひいては付近にある第１施設も利用していない蓋然性が高い。このため、移動体２の移動開始から所定時間後に当該ドライバーＤを刺激する必要性は低い。
【０１１７】
当該判定結果が肯定的である場合（図４／ＳＴＥＰ１４４‥ＹＥＳ）、指定コンテンツ出力制御部１１２は、第３施設Ｐ３の第１基準滞在時間に基づいて第４距離ｒ４を設定し、第４距離ｒ４以内（円Ｒ４内）にある第１施設Ｐ４の施設情報を読込む（図４／ＳＴＥＰ１４５）。
【０１１８】
ここで、第４距離ｒ４は、第１距離ｒ１及び第３距離ｒ３のいずれよりも大きい距離である。第４距離ｒ４は、第３施設Ｐ３の第１基準滞在時間が長ければ長いほど、大きな距離に定められる。また、第４距離ｒ４は、移動体の停止位置Ｐ０から徒歩で移動する蓋然性が高い距離（例えば数百メートル〜数キロメートル）である。
【０１１９】
図４／ＳＴＥＰ１４４の判定結果が肯定的である場合とは、図５Ｃに示されるように、第３施設Ｐ３が移動体２の停止位置Ｐ０から第３距離ｒ３以内にあり、かつ、移動体２の停止時間が第３施設Ｐ３の第１基準滞在時間以上である場合である。このような場合、ドライバーＤは、第３施設Ｐ３を利用した蓋然性が高い。
【０１２０】
そして、第３施設Ｐ３は、移動体２に対して特定の作業が行われる施設であるが、移動体２に対する特定の作業の実施には、必ずしもドライバーＤが立ち会う必要はない。この移動体２に対する特定の作業の間、ドライバーＤは、付近にある第１施設Ｐ４を利用する可能性がある。
【０１２１】
このような可能性に鑑みて、指定コンテンツ出力制御部１１２は、第４距離ｒ４以内にある第１施設Ｐ４の情報を読み込む。
【０１２２】
また、移動体２に対する特定の作業に時間がかかるほど、ドライバーＤは遠距離にある第１施設Ｐ４を訪れる可能性がある。このため、第４距離ｒ４は、第３施設Ｐ３の第１基準滞在時間が長ければ長いほど、断続的又は連続的に大きな距離に定められる。
【０１２３】
指定コンテンツ出力制御部１１２は、移動体２の停止位置Ｐ０と第１施設Ｐ４との距離が第４距離ｒ４以内かつ移動体２の停止時間が第１基準滞在時間以上か否かを判定する（図４／ＳＴＥＰ１４６）。ここで、第１施設Ｐ４の第１基準滞在時間には、停止位置Ｐ０から第１施設Ｐ４までの距離から求められる、移動体２の停止位置Ｐ０と第１施設Ｐ４との間の往復移動時間が加えられてもよい。
【０１２４】
当該判定結果が否定的である場合（図４／ＳＴＥＰ１４６‥ＮＯ）、指定コンテンツ出力制御部１１２は、指定コンテンツの出力を不要と判断する。
【０１２５】
補足すると、当該判定結果が否定的である場合とは、移動体２の停止位置Ｐ０から第４距離ｒ４以内に第１施設がないか、第１施設Ｐ４が移動体２の停止位置Ｐ０から第４距離ｒ４以内に存在していたとしても、移動体２の停止時間が当該第１施設Ｐ４の第１基準滞在時間未満であった場合である。
【０１２６】
このような場合、ドライバーＤは、第１施設Ｐ４を利用していない蓋然性が高い。このため、移動体２の移動開始から所定時間後に当該ドライバーＤを刺激する必要性は低い。
【０１２７】
図４／ＳＴＥＰ１４６の判定結果が肯定的である場合（図４／ＳＴＥＰ１４６‥ＹＥＳ）、指定コンテンツ出力制御部１１２は、図４／ＳＴＥＰ１４７に進む。
【０１２８】
ここで、図４／ＳＴＥＰ１４６の判定結果が肯定的である場合とは、図５Ｃに示されるように、第４距離ｒ４以内に第１施設Ｐ４があり、かつ、移動体２の停止時間が当該第１施設Ｐ４の第１基準滞在時間以上である場合である。このような場合、ドライバーＤは、第１施設Ｐ４において特定の活動を行っていた蓋然性が高い。
【０１２９】
図４／ＳＴＥＰ１４７において、指定コンテンツ出力制御部１１２は、移動体２の停止時間が第１施設の第２基準滞在時間以上であるか否かを判定する。
【０１３０】
図４／ＳＴＥＰ１４７は、上記したように、第１施設をドライバーＤが利用していた蓋然性が高い場合に実行される処理である。
【０１３１】
当該判定結果が否定的である場合（図４／ＳＴＥＰ１４７‥ＮＯ）、指定コンテンツ出力制御部１１２は、指定コンテンツの出力が必要であると判断する。
【０１３２】
補足すると、図４／ＳＴＥＰ１４７の判定結果が否定的である場合とは、移動体２の停止時間が第１施設の第１基準滞在時間以上であり、第２基準滞在時間未満である場合である。このような場合、図６Ａに示されるように、ドライバーＤは、移動体２が停止している期間ｔ１において特定の活動を行った後、間もなく出発した蓋然性が高い。
【０１３３】
このような場合、移動体２の移動開始後から所定の時間Ｔ１が過ぎた後、特定の活動を行ったことよりドライバーＤに注意力が低下している可能性がある。このため、ドライバーＤを刺激するための指定コンテンツを出力する必要性が高い。
【０１３４】
他方、図４／ＳＴＥＰ１４７の判定結果が肯定的である場合、すなわち、移動体２の停止時間が第１施設の第２基準滞在時間以上である場合には、図６Ｂに示されるように、ドライバーＤは、移動体２が停止している期間ｔ２の一部の期間ｔ３において特定の活動を行っている蓋然性があるが、移動体２が停止している期間ｔ２が長いために、ドライバーＤの注意力が戻っている蓋然性が高い。
【０１３５】
このような場合には、指定コンテンツを出力する必要性は低い。
【０１３６】
ただし、第１施設が飲食店であり、移動体２の移動開始時刻が食事時など、所定の時間帯に含まれている場合には、図６Ｃに示されるように、移動体２の停止終了間際などにドライバーＤが飲食を行っている蓋然性が高い。このような場合には、移動体２の移動開始後から所定時間Ｔ２後に指定コンテンツを出力する必要性が高い。
【０１３７】
このため、図４／ＳＴＥＰ１４７の判定結果が肯定的である場合（図４／ＳＴＥＰ１４７‥ＹＥＳ）、指定コンテンツ出力制御部１１２は、施設の種別が飲食店かつ移動体２の移動開始時刻が所定の時間帯に含まれているか否かを判定する（図４／ＳＴＥＰ１４８）。
【０１３８】
当該判定結果が肯定的である場合（図４／ＳＴＥＰ１４８‥ＹＥＳ）、指定コンテンツ出力制御部１１２は、指定コンテンツの出力が必要であると判断する。
【０１３９】
当該判定結果が否定的である場合（図４／ＳＴＥＰ１４８‥ＮＯ）、指定コンテンツ出力制御部１１２は、指定コンテンツの出力が不要であると判断する。
【０１４０】
以上により、指定コンテンツ出力要否判定処理が終了する。
【０１４１】
（変形態様）
図３／ＳＴＥＰ１３０、図４／ＳＴＥＰ１４２、図４／ＳＴＥＰ１４４〜ＳＴＥＰ１４６、図４／ＳＴＥＰ１４７〜ＳＴＥＰ１４８及び図４／ＳＴＥＰ１４８のそれぞれの処理は省略されてもよい。
【０１４２】
コンテンツ出力装置は、移動体２のセンサ部２８等の機器に接続されていなくともよい。
【０１４３】
例えば、図７に示されるように、コンテンツ出力装置３２０が、ＧＰＳセンサ２８５及びジャイロセンサ２８６（又は速度センサ）を備え、これらから移動体２（コンテンツ出力装置２０）の位置情報及び速度情報を認識してもよい。
【０１４４】
この場合、指定コンテンツ出力制御部１１２は、コンテンツ出力装置３２０から受信した位置情報及び速度情報に基づいて、上記した判定方法と同様の判定方法により、移動体２の停止位置を認識してもよい。
【０１４５】
また、図８に示されるように、出力装置制御部４２１が、所定のプログラムを実行することにより、指定コンテンツ出力制御部２１１の一部または全部として機能してもよい。
【０１４６】
この場合、出力装置記憶部４２２は、コンテンツ情報Ｃ０と、使用者情報Ｕ０と、ナビゲーション情報Ｎ０とを記憶していることが好ましい。ただし、出力装置制御部４２１は、適宜のこれらの情報を外部から取得してもよい。
【０１４７】
出力装置制御部４２１は、図９に示されるようなフローにより指定コンテンツ出力処理を実行する。
【０１４８】
図９／ＳＴＥＰ２６１〜図９／ＳＴＥＰ２６７の処理のそれぞれは、図３／ＳＴＥＰ２１０、図３／ＳＴＥＰ１２０、図３／ＳＴＥＰ１３０、図３／ＳＴＥＰ１４０、図３／ＳＴＥＰ１５０、図３／ＳＴＥＰ２４０、図３／ＳＴＥＰ２５０の処理のそれぞれと同様の処理である。
【符号の説明】
【０１４９】
２‥移動体、１１‥サーバ記憶部（記憶部）、２４‥スピーカ（コンテンツ出力部）、２５‥タッチパネル（コンテンツ出力部）、１１２‥指定コンテンツ出力制御部、４２２‥出力装置記憶部（記憶部）、Ｃ１‥指定コンテンツ、Ｄ‥ドライバー、Ｎ３‥施設情報、Ｐ０‥移動体が停止した位置、Ｐ１‥第１施設の位置。
【図１】
0006343297.tif 000002
【図２】
0006343297.tif 000003
【図３】
0006343297.tif 000004
【図４】
0006343297.tif 000005
【図５】
0006343297.tif 000006
【図６】
0006343297.tif 000007
【図７】
0006343297.tif 000008
【図８】
0006343297.tif 000009
【図９】
0006343297.tif 000010